(57)【特許請求の範囲】
【請求項１】
相互に絶縁された２本の導線からそれぞれ構成される１組の第１信号伝送用導線および１組の第２信号伝送用導線を少なくとも備え、前記２組の伝送用導線のそれぞれの中間部位において、前記第１信号伝送用導線および前記第２信号伝送用導線を集合させ、前記２組の信号伝送用導線の両端部位において、前記第１信号伝送用導線の一方の前記導線と前記第２信号伝送用導線の一方の前記導線とを互いに隣接させると共に前記第１信号伝送用導線の他方の前記導線と前記第２信号伝送用導線の他方の前記導線とを互いに隣接させた測定器用ケーブルにおいて、
前記中間部位において、前記第１信号伝送用導線の一方の導線と前記第２信号伝送用導線の他方の導線とを互いに隣接させると共に、前記第１信号伝送用導線の他方の導線と前記第２信号伝送用導線の一方の導線とを互いに隣接させたことを特徴とする測定器用ケーブル。
【請求項２】
前記中間部位および前記両端部位のケーブル長は、前記第１信号伝送用導線と前記第２信号伝送用導線との相互間において発生する誘導電圧を互いに打ち消し合い可能な長さにそれぞれ形成されていることを特徴とする請求項１記載の測定器用ケーブル。
【請求項３】
前記両端部位の合計ケーブル長と前記中間部位のケーブル長とをほぼ等しく形成したことを特徴とする請求項１または２記載の測定器用ケーブル。
【請求項４】
前記両端部位において、前記第１信号伝送用導線の一方の導線と前記第２信号伝送用導線の一方の導線とを１組のリードケーブルとしてそれぞれ形成すると共に、前記第１信号伝送用導線の他方の導線と前記第２信号伝送用導線の他方の導線とを１組のリードケーブルとしてそれぞれ形成し、当該４つのリードケーブルは互いにそれぞれ分離させられていることを特徴とする請求項１から３のいずれかに記載の測定器用ケーブル。
【発明の詳細な説明】
【０００１】
【発明の属する技術分野】
本発明は、測定器用ケーブルに関し、詳しくは、四端子法によって低抵抗の抵抗値などを測定する測定器に用いるのに適した測定器用ケーブルに関するものである。
【０００２】
【従来の技術】
この種の四端子法を用いて抵抗の抵抗値を測定する測定系として図５に示す測定系Ｓ２が従来から知られている。この測定系Ｓ２は、測定対象物である抵抗Ｒに測定器用ケーブル２１を介して交流定電流を供給する交流電流源ＰＳと、抵抗Ｒの両端に発生した交流電圧を測定器用ケーブル２１を介して入力すると共にその交流電圧の電圧値を測定する交流電圧計ＶＭとを備えている。測定器用ケーブル２１は、図１に示すように、ケーブル本体２と、ケーブル本体２と一体的に形成されたリードケーブル３ａ〜３ｄと、リードケーブル３ａ，３ｂの先端にそれぞれ取り付けられたクリップ状のコネクタ４ａ，４ｂと、リードケーブル３ｃ，３ｄの先端にそれぞれ取り付けられたプラグ５ａ，５ｂとを備えて構成されている。
【０００３】
測定器用ケーブル２１は、図５に示すように、交流電流源ＰＳの交流定電流を出力するための１組の信号出力用導線２２ａ，２２ｂと、抵抗Ｒの両端の交流電圧を入力するための１組の信号入力用導線２３ａ，２３ｂとを有している。測定器用ケーブル２１のケーブル本体２は、図４（ｃ）に示すように、信号出力用導線２２ａを芯線として信号入力用導線２３ａを網線とするシールド線２４ａ、および信号出力用導線２２ｂを芯線として信号入力用導線２３ｂを網線とするシールド線２４ｂが平行に挿入されて形成されている。また、測定器用ケーブル２１のリードケーブル３ａ，３ｃは、同図（ａ）に示すように、信号出力用導線２２ａを芯線として信号入力用導線２３ａを網線とするシールド線２４ａで形成され、リードケーブル３ｂ，３ｄは、同図（ｂ）に示すように、信号出力用導線２２ｂを芯線として信号入力用導線２３ｂを網線とするシールド線２４ｂで形成されている。
【０００４】
一方、ケーブル本体２とリードケーブル３ａ〜３ｄとのそれぞれの境界部位６ａ，６ｂ（図１参照）では、図５に示すように、両シールド線２４ａ，２４ｂが互いに分離され、分離された両シールド線２４ａ，２４ｂがリードケーブル３ａ〜３ｄをそれぞれ構成している。シールド線２４ａ（または２４ｂ）の抵抗Ｒ側の先端部においては、信号出力用導線２２ａ（または２２ｂ）の先端にコネクタ４ａ（または４ｂ）の電極Ｅａ１  （またはＥｂ１  ）が、信号入力用導線２３ａ（または２３ｂ）の先端にコネクタ４ａ（または４ｂ）の電極Ｅａ２  （またはＥｂ２  ）がそれぞれ取り付けられている。さらに、シールド線２４ａ（または２４ｂ）の他方の先端部においては、信号出力用導線２２ａ（または２２ｂ）の先端にプラグ５ａ（または５ｂ）のコネクタピンＰａ１  （またはＰｂ１  ）が、信号入力用導線２３ａ（または２３ｂ）の先端にプラグ５ａ（または５ｂ）の電極Ｐａ２  （またはＰｂ２  ）がそれぞれ取り付けられている。
【０００５】
この測定系Ｓ２では、測定開始に先立って、まず、交流定電流源ＰＳの出力端子にプラグ５ａのコネクタピンＰａ１  およびプラグ５ｂのコネクタピンＰｂ１  を接続すると共に、交流電圧計ＶＭの入力端子にプラグ５ａのコネクタピンＰａ２  およびプラグ５ｂのコネクタピンＰｂ２  を接続し、かつ抵抗Ｒの一端にコネクタ４ａを挟み込むことによってその一端に電極Ｅａ１  ，Ｅａ２  を接続すると共に、抵抗Ｒの他端にコネクタ４ｂを挟み込むことによってその他端に電極Ｅｂ１  ，Ｅｂ２  を接続する。
【０００６】
次いで、交流定電流源ＰＳから交流定電流を出力させると、信号出力用導線２２ａ，２２ｂを介して、抵抗Ｒに交流定電流が流れることによって、抵抗Ｒの両端に交流電圧が発生する。交流電圧計ＶＭは、信号入力用導線２３ａ，２３ｂを介して交流電圧を入力し、その交流電圧値を測定する。この結果、交流定電流から出力された電流値Ｉと交流電圧計ＶＭの測定値である電圧値Ｖとに基づいて、抵抗Ｒの抵抗値が、下記の式に従った四端子法により演算される。
抵抗値＝Ｖ／Ｉ
【０００７】
【発明が解決しようとする課題】
ところが、この従来の測定器用ケーブル２１には、以下の問題点がある。すなわち、一般的には、２本の導線が隣接している場合、一方の導線に電流が流れると、その導線に磁界が発生する。この場合、その磁界中の隣接している他方の導線には、発生した磁界に起因して一方の導線に流れている電流とは位相が９０゜異なる誘導電圧が発生する。具体的には、例えば、信号出力用導線２２ａに交流定電流が流れると、隣接している信号入力用導線２３ａに誘導電圧が発生する。この誘導電圧は、交流定電流が大きければ大きいほど、その電圧値が大きくなる。このため、この測定器用ケーブル２１を用いて抵抗Ｒの抵抗値を測定した場合には、上記した四端子法による演算において、誘導電圧に起因する誤差が生じてしまうという問題点がある。
【０００８】
この場合、誘導電圧が小さな電圧値の場合には、信号入力用導線２３ａ，２３ｂを介して入力される交流電圧と誘導電圧とは位相が常に９０゜異なるため、公知のキャンセリング技術によってある程度までキャンセルすることは可能である。しかし、この場合にあっても、誘導電圧の電圧値が大きいと、交流電圧計ＶＭ内のプリアンプが誘導電圧によって飽和させられてしまうために、交流電圧を正確に検出することができない状態になってしまうという問題点がある。
【０００９】
なお、誘導電圧を低減させる方法として、四端子対法が知られている（特開平３−２４９５７０号公報）。この方法によれば、信号出力用導線２２ａ，２２ｂおよび信号入力用導線２３ａ，２３ｂの代わりに、４本の同軸ケーブルを用いる必要があり、しかも、同軸ケーブルのシールド線部分（網線部分）を測定対象の抵抗側で互いに直列接続しなければならない。このため、測定器用ケーブルの材料費が高価格となるばかりでなく、その加工が極めて煩雑のために加工コストも上昇してしまう。また、四端子法では、測定対象の抵抗Ｒ側のリードケーブル３ａ，３ｂを互いに分離させておくことが可能であるに対し、四端子対法では、測定対象の抵抗の両端にそれぞれ接続される同軸ケーブルのシールド線同士を接続しなければならないため、自由に分離させることができず、測定器用ケーブルの取り扱いが極めて不便であるという問題点がある。
【００１０】
本発明は、かかる問題点を解決すべくなされたものであり、誘導電圧の発生を低減可能な測定器用ケーブルを提供することを主目的とする。
【００１１】
【課題を解決するための手段】
上記目的を達成すべく請求項１記載の測定器用ケーブルは、相互に絶縁された２本の導線からそれぞれ構成される１組の第１信号伝送用導線および１組の第２信号伝送用導線を少なくとも備え、２組の伝送用導線のそれぞれの中間部位において、第１信号伝送用導線および第２信号伝送用導線を集合させ、２組の信号伝送用導線の両端部位において、第１信号伝送用導線の一方の導線と第２信号伝送用導線の一方の導線とを互いに隣接させると共に第１信号伝送用導線の他方の導線と第２信号伝送用導線の他方の導線とを互いに隣接させた測定器用ケーブルにおいて、中間部位において、第１信号伝送用導線の一方の導線と第２信号伝送用導線の他方の導線とを互いに隣接させると共に、第１信号伝送用導線の他方の導線と第２信号伝送用導線の一方の導線とを互いに隣接させたことを特徴とする。
【００１２】
この測定器用ケーブルでは、第２信号伝送用導線の一方の導線は、両端部位では、第１信号伝送用導線の一方の導線と隣接し、中間部位では、第１信号伝送用導線の他方の導線と隣接している。このため、例えば、第１信号伝送用導線および第２信号伝送用導線をそれぞれ信号出力用導線および信号入力用導線として使用した場合、両端部位おいて第１信号伝送用導線の一方の導線に発生した磁界に起因して第２信号伝送用導線の一方の導線に誘導する誘導電圧の向きと、中間部位において第１信号伝送用導線の他方の導線に発生した磁界に起因して第２信号伝送用導線の一方の導線に誘導する誘導電圧の向きとが互いに逆向きとなる。したがって、両部位において第２信号伝送用導線の一方の導線に誘導した誘導電圧が互いに打ち消し合って低減される。これにより、例えば、第２信号伝送用導線を介して入力した電圧を電圧計などによって測定する場合には、電圧計に入力される誘導電圧の電圧値が小さくなるため、測定誤差を小さくすることが可能になる。なお、同様にして、第２信号伝送用導線の他方の導線に誘導する誘導電圧も互いに打ち消し合って低減される。
【００１３】
請求項２記載の測定器用ケーブルは、請求項１記載の測定器用ケーブルにおいて、中間部位および両端部位のケーブル長は、第１信号伝送用導線と第２信号伝送用導線との相互間において発生する誘導電圧を互いに打ち消し合い可能な長さにそれぞれ形成されていることを特徴とする。
【００１４】
一般的に、２本の平行導線のうちの一方の導線に電流が流れると、その一方の導線に磁界が発生することにより、両導線間には相互インダクタンスが発生する。この場合、相互インダクタンスは、平行導線の長さと長さの対数値とに少なくとも基づいて近似される。一方、他方の導線に誘導される誘導電圧の電圧値は、相互インダクタンスにほぼ比例するため、両端部位のケーブル長および中間部位のケーブル長を所定の長さに規定することによって、第１信号伝送用導線と第２信号伝送用導線との相互間において発生する誘導電圧を互いに完全に打ち消し合うことが可能になる。このため、例えば、第２信号伝送用導線を介して入力した電圧を電圧計によって測定する場合などでは、電圧計に入力される誘導電圧の電圧値を殆ど０Ｖにすることが可能になるため、測定誤差をなくすことが可能になる。
【００１５】
請求項３記載の測定器用ケーブルは、請求項１または２記載の測定器用ケーブルにおいて、両端部位の合計ケーブル長と中間部位のケーブル長とをほぼ等しく形成したことを特徴とする。
【００１６】
誘導電圧の値は、厳密には、上記したように、平行導線の長さと、その長さの対数値とに少なくとも基づいて近似される。しかし、一般的に、測定器用ケーブルとして使用する長さ（２ｍ程度）では、誘導電圧の電圧値がケーブル長にほぼ比例するものとして考えることができる。このため、両端部位の合計ケーブル長と中間部位のケーブル長とをほぼ等しく形成することにより、誘導電圧の値を低減させることが可能になる。
【００１７】
請求項４記載の測定器用ケーブルは、請求項１から３のいずれかに記載の測定器用ケーブルにおいて、両端部位において、第１信号伝送用導線の一方の導線と第２信号伝送用導線の一方の導線とを１組のリードケーブルとしてそれぞれ形成すると共に、第１信号伝送用導線の他方の導線と第２信号伝送用導線の他方の導線とを１組のリードケーブルとしてそれぞれ形成し、４つのリードケーブルは互いにそれぞれ分離させられていることを特徴とする。
【００１８】
両端部位のケーブルは、その両端において測定用プローブなどが取り付けられる限り、中間部位と一体的に形成されていても構わない。つまり、１本のケーブル内において第１信号伝送用導線および第２信号伝送用導線が交差する構造であってもよい。一方、この測定器用ケーブルのように、ケーブルの両端部位におけるリードケーブル部分が互いに分離している構造を採用すれば、中間部位の部分は、一般的な平行２芯導線をさらに２本平行に埋め込んだ複合ケーブルなどを用い、中間部位の部分とリードケーブルとの両境界部位において、第１信号伝送用導線の一方の導線と他方の導線とが（または第２信号伝送用導線の一方の導線と他方の導線とが）互いに交差するようにケーブル加工することにより、測定器用ケーブル内で導線を交差させることによって製造する場合と比較して、ケーブル製造コストを上昇させることなく、簡易に製造することが可能になる。
【００１９】
【発明の実施の形態】
以下、添付図面を参照して、本発明に係る測定器用ケーブル（以下、単に「ケーブル」ともいう）の好適な実施の形態について説明する。
【００２０】
ケーブル１は、例えば、数ｍΩ〜数Ωの低抵抗の抵抗値を測定する低抵抗計用のケーブルに好適に用いられるものであつて、基本的には、従来の測定器用ケーブル２１と同一の外観を有している。したがって、従来の測定器用ケーブル２１と同一の構成要素については同一の符号を用いて、従来の測定器用ケーブル２１と異なる点について詳述する。
【００２１】
最初に、図１を参照して、ケーブル１の構成について説明する。
【００２２】
ケーブル１は、同図に示すように、ケーブル自体としては、中間部位のケーブル本体２と、ケーブル本体２と一体的に形成された両端部位のリードケーブル３ａ〜３ｄとで構成されている。ケーブル１は、図２に示すように、相互に絶縁された４本の導線を有しており、これらの導線は、２本の導線から構成される１組の信号出力用導線（本発明における第１信号伝送用導線に相当する）１２ａ，１２ｂと、同じく２本の導線から構成される１組の信号入力用導線（本発明における第２信号伝送用導線に相当する）１３ａ，１３ｂとを有している。
【００２３】
ケーブル本体２は、図３（ｃ）に示すように、信号出力用導線１２ａを芯線として信号入力用導線１３ｂを網線とするシールド線１５ａ、および信号出力用導線１２ｂを芯線として信号入力用導線１３ａを網線とするシールド線１５ｂが平行に挿入されて形成されている。また、リードケーブル３ａ，３ｃは、同図（ａ）に示すように、信号出力用導線１２ａを芯線として信号入力用導線１３ａを網線とするシールド線１４ａで形成され、リードケーブル３ｂ，３ｄは、同図（ｂ）に示すように、信号出力用導線１２ｂを芯線として信号入力用導線１３ｂを網線とするシールド線１４ｂで形成されている。
【００２４】
一方、ケーブル本体２とリードケーブル３ａ〜３ｄとのそれぞれの境界部位６ａ，６ｂ（図１参照）では、図２に示すように、両シールド線１４ａ，１４ｂが互いに分離され、分離された両シールド線１４ａ，１４ｂがリードケーブル３ａ〜３ｄをそれぞれ構成している。シールド線１４ａ（または１４ｂ）の抵抗Ｒ側の先端部においては、信号出力用導線１２ａ（または１２ｂ）の先端にコネクタ４ａ（または４ｂ）の電極Ｅａ１  （またはＥｂ１  ）が、信号入力用導線１３ａ（または１３ｂ）の先端にコネクタ４ａ（または４ｂ）の電極Ｅａ２  またはＥｂ２  ）がそれぞれ取り付けられている。さらに、シールド線１４ａ（または１４ｂ）の他方の先端部においては、信号出力用導線１２ａ（または１２ｂ）の先端にプラグ５ａ（または５ｂ）のコネクタピンＰａ１  （またはＰｂ１  ）が、信号入力用導線１３ａ（または１３ｂ）の先端にプラグ５ａ（または５ｂ）の電極Ｐａ２  （またはＰｂ２  ）がそれぞれ取り付けられている。
【００２５】
次いで、ケーブル１の製造方法の概略について説明する。
【００２６】
まず、ケーブル本体２内のシールド線１５ａ，１５ｂの両先端部の被覆を剥ぐことにより、信号出力用導線１２ａ（芯線部分）および信号入力用導線１３ｂ（網線部分）をそれぞれ露出させる。次いで、互いにそれぞれ分離して同一長の４本のシールド線１４ａ，１４ａ，１４ｂ，１４ｂを用意し、これらの両端の芯線部分および網線部分をそれぞれ露出させる。次に、シールド線１５ａの信号出力用導線１２ａの両端部分を、シールド線１４ａ，１４ａの信号出力用導線１２ａ，１２ａ（芯線部分）にそれぞれ半田付けする。また、シールド線１５ａの信号入力用導線１３ｂの両端部分を、シールド線１４ｂ，１４ｂの信号入力用導線１３ｂ（網線部分）にそれぞれ半田付けする。同じようにして、シールド線１５ｂの信号出力用導線１２ｂの両端部分を、シールド線１４ｂ，１４ｂの信号出力用導線１２ｂ，１２ｂ（芯線部分）にそれぞれ半田付けし、シールド線１５ｂの信号入力用導線１３ａの両端部分を、シールド線１４ａ，１４ａの信号入力用導線１３ａ（網線部分）にそれぞれ半田付けする。
【００２７】
次に、シールド線１４ａ，１４ａ，１４ｂ，１４ｂの先端部にコネクタ４ａ，４ｂおよびプラグ５ａ，５ｂを取り付けた後、一体成形によってシールド線１５ａ，１５ｂ，１４ａ，１４ａ，１４ｂ，１４ｂ全体を樹脂で覆うことにより、ケーブル１が完成する。このように、ケーブル１の両端部位におけるそれぞれのリードケーブル３ａ〜３ｄを互いに分離させているため、ケーブル本体２の部分は、一般的な平行２芯導線をさらに２本平行に埋め込んだ複合ケーブル（または２本の平行２芯導線）などを用い、ケーブル本体２とリードケーブル３ａ〜３ｄとの両境界部位６ａ，６ｂにおいて、信号出力用導線１２ａと信号出力用導線１２ｂとが（信号入力用導線１３ａと信号入力用導線１３ｂとであってもよい）互いに交差するようにケーブル加工することにより、ケーブル１内で導線を交差させることによって製造する場合と比較して、ケーブル製造コストを上昇させることなく、簡易に製造することが可能になる。
【００２８】
次に、このケーブル１を用いた測定について説明する。図２に示す測定系Ｓ１では、従来の測定系Ｓ２と同様にして、四端子法によって抵抗Ｒの抵抗値を測定することができ、その際において、信号出力用導線１２ａ，１２ｂに交流定電流が流れることに起因して信号入力用導線１３ａ，１３ｂに誘導する誘導電圧が極めて低減されている。
【００２９】
次いで、このケーブル１を使用することによって誘導電圧が低減される原理について説明する。
【００３０】
例えば、４本のリードケーブル３ａ〜３ｄのケーブル長（信号出力用導線１２ａ，１２ｂが交差する境界部位６ａ（または６ｂ）から先端部までの長さ）をそれぞれ０．５ｍ（以下、「Ｌ」とも表す）とし、ケーブル本体２のケーブル長（信号出力用導線１２ａ，１２ｂがそれぞれ交差する境界部位６ａ，６ｂ間の長さ）を１ｍ（以下、「２×Ｌ」とも表す）とし、リードケーブル３ａ〜３ｄにおける信号出力用導線１２ａ（または１２ｂ）と信号入力用導線１３ａ（または１３ｂ）との間隔、およびケーブル本体２における信号出力用導線１２ａ（または１２ｂ）と信号入力用導線１３ｂ（または１３ａ）との間隔をそれぞれ２ｍｍ（以下、「ｄ」とも表す）とする。この場合、信号出力用導線１２ａ，１２ｂに交流定電流が流れると、両導線１２ａ，１２ｂに磁界が発生することにより、両導線１２ａ，１２ｂと信号入力用導線１３ａ，１３ｂとの間に、相互インダクタンスがそれぞれ発生する。
【００３１】
この場合、相互インダクタンスＭは、磁界の磁束密度をμとすると、一般的に、以下の式によって近似される。
Ｍ＝μ×Ｌ×（Ｌｏｇ（２×Ｌ／ｄ）−１）／（２×π）
また、リードケーブル３ａにおける相互インダクタンスをＭ１とし、リードケーブル３ｃにおける相互インダクタンスをＭ３とし、ケーブル本体２における相互インダクタンスをＭ２とすると、以下の関係になる。
Ｍ１＋Ｍ３＝μ×Ｌ×（Ｌｏｇ（２×Ｌ／ｄ）−１）／π
0003625959.tif 000002
と表される。
したがって、相互インダクタンス（Ｍ１＋Ｍ３）およびＭ２は、互いにほぼ等しくなる。
【００３２】
一方、誘導電圧の電圧値が相互インダクタンスにほぼ比例するため、リードケーブル３ａ，３ｃ（または３ｂ，３ｄ）の部分での誘導電圧の電圧値と、ケーブル本体２の部分での誘導電圧の電圧値とは、電圧の向きが互いに逆向きでかつ互いにほぼ等しい値になる。このため、両リードケーブル３ａ，３ｃの合計ケーブル長および両リードケーブル３ｂ，３ｄの合計ケーブル長と、ケーブル本体２のケーブル長とをほぼ等しく形成することにより、リードケーブル３ａ，３ｃ（または３ｂ，３ｄ）の部分で誘導する誘導電圧と、ケーブル本体２の部分で誘導する誘導電圧とが相互に打ち消し合うことにより、交流電圧計ＶＭに入力する誘導電圧の値が殆ど０Ｖになり、これにより、交流電圧計ＶＭにおける測定誤差をなくすことができる。
【００３３】
なお、上記ケーブル１では、リードケーブル３ａ，３ｃの合計ケーブル長を、ケーブル本体２の合計ケーブル長と等しく形成したが、本発明は、これに限定されず、上記した相互インダクタンス（Ｍ１＋Ｍ３）と、相互インダクタンスＭ２とが等しくなるように、それぞれのケーブル長を規定してもよい。
【００３４】
さらに、ケーブル１として、ケーブル本体２の部分において、網線などによってシールド線１５ａ，１５ｂをさらにシールドし、境界部位において、その網線と信号入力用導線１３ｂとを半田付けするように構成してもよい。
【００３５】
また、本発明に係るケーブル１は、低抵抗計に限らず、２本の導線によって信号を出力すると共に２本の導線によって信号を入力することによって各種パラメータを測定する計測器のすべてに適用することが可能である。
【００３６】
【発明の効果】
以上のように請求項１記載の測定器用ケーブルによれば、第２信号伝送用導線の一方の導線を、両端部位において、第１信号伝送用導線の一方の導線と隣接させると共に、中間部位において、第１信号伝送用導線の他方の導線と隣接させ、かつ、第２信号伝送用導線の他方の導線を、両端部位において、第１信号伝送用導線の他方の導線と隣接させると共に、中間部位において、第１信号伝送用導線の一方の導線と隣接させたことにより、例えば、第１信号伝送用導線および第２信号伝送用導線をそれぞれ信号出力用導線および信号入力用導線として使用した場合、両端部位および中間部位において第１信号伝送用導線に発生した磁界に起因して第２信号伝送用導線に誘導する誘導電圧を互いに打ち消し合わせることができる。これにより、例えば、第２信号伝送用導線を介して入力した電圧を電圧計などによって測定する場合に、その測定誤差を小さくすることができる。
【００３７】
また、請求項２記載の測定器用ケーブルによれば、中間部位および両端部位のケーブル長を、第１信号伝送用導線と第２信号伝送用導線との相互間において発生する誘導電圧を互いに打ち消し合わせることが可能な長さにそれぞれ形成したため、第１信号伝送用導線と第２信号伝送用導線との相互間において発生する誘導電圧を互いに完全に打ち消し合わせることができる。これにより、例えば、第２信号伝送用導線を介して入力した電圧を電圧計によって測定する場合など、電圧計に入力される誘導電圧の電圧値を殆ど０Ｖにすることができ、測定誤差をなくすことができる。
【００３８】
さらに、請求項３記載の測定器用ケーブルによれば、両端部位の合計ケーブル長と中間部位のケーブル長とをほぼ等しく形成したため、誘導電圧の値を低減させることができる。
【００３９】
また、請求項４記載の測定器用ケーブルによれば、測定器用ケーブルの両端の両リードケーブルを互いにそれぞれ分離したため、ケーブル本体と一体的に形成する場合と比較して、ケーブル製造コストを上昇させることなく、簡易に製造することが可能になる。
【図面の簡単な説明】
【図１】本発明の実施の形態に係る測定器用ケーブルおよび従来の測定器用ケーブルの外観図である。
【図２】本発明の実施形態に係る測定系を説明するための測定系概略図である。
【図３】（ａ）は本発明の実施形態に係る測定器用ケーブルにおけるリードケーブルの断面図であり、（ｂ）は本発明の実施形態に係る測定器用ケーブルにおけるリードケーブルの断面図であり、（ｃ）は本発明の実施形態に係る測定器用ケーブルにおけるケーブル本体の断面図である。
【図４】（ａ）は従来の測定器用ケーブルにおけるリードケーブルの断面図であり、（ｂ）は従来の測定器用ケーブルにおけるリードケーブルの断面図であり、（ｃ）は従来の測定器用ケーブルにおけるケーブル本体の断面図である。
【図５】従来の測定器用ケーブルを使用した場合の測定系を説明するための測定系概略図である。
【符号の説明】
１  測定器用ケーブル
２  ケーブル本体
３ａ  リードケーブル
３ｂ  リードケーブル
３ｃ  リードケーブル
３ｄ  リードケーブル
１２ａ  信号出力用導線
１２ｂ  信号出力用導線
１３ａ  信号入力用導線
１３ｂ  信号入力用導線
１５ａ  シールド線
１５ｂ  シールド線
【図１】
0003625959.tif 000003
【図２】
0003625959.tif 000004
【図３】
0003625959.tif 000005
【図４】
0003625959.tif 000006
【図５】
0003625959.tif 000007